(57)【特許請求の範囲】
【請求項１】
歯に装着され適合される底面及び上面を備える基板であって、前記上面から上方に上部構造体が延在し、該上部構造体が第一及び第二結合ウィングを備え、該第一及び第二結合ウィング間にスロットが存在し、該スロットが前記第一及び第二結合ウィングの側面に上端部を備えるとともに、アーチワイヤーを受けることを意図される基板と、
前記第一結合ウィングに固定され得る第一端部及び、前記第一結合ウィングを包み込む円弧によって前記第一端部に連結され、３つの舌片によって形成される第二端部を備えるバネ鋼版からなる閉鎖バネであって、前記３つの舌片のうちの少なくとも１つが掛け金舌片であり、少なくとも他の１つが結紮舌片である閉鎖バネと、を備える自己結紮型歯列矯正ブラケットであって、
前記舌片は、切欠きによって互いに離間しており、
前記閉鎖バネは、前記結合ウィング間の前記スロットが、アーチワイヤーの挿入のために自由にアクセス可能である開口状態と、前記少なくとも１つの結紮舌片が、前記スロットにおいて前記アーチワイヤーを覆い、前記少なくとも１つの掛け金舌片が、前記上部構造体に形成される保持要素の上に留められる閉口状態との間を移動するように設計される自己結紮型歯列矯正ブラケットにおいて、
前記閉鎖バネが、前記上部構造体に、分離可能に連結され、
前記舌片が基本的に互いに平行であり、
前記閉鎖バネの閉口状態において、前記少なくとも１つの結紮舌片が前記スロット方向にプレテンションを掛けられていることを特徴とする自己結紮型歯列矯正ブラケット。
【請求項２】
前記閉鎖バネが閉口状態であるとき、前記掛け金舌片は少なくとも結紮舌片よりも、前記掛け金舌片の自由端が前記スロットを超えて延在しない量だけ短く、前記掛け金舌片用の前記保持要素は、前記上部構造体上に形成される少なくとも１つの突起により形成され、該突起が刻み目を有し、前記閉鎖バネが閉口状態にあるとき、前記掛け金舌片の自由端が前記刻み目中に位置することを特徴とする請求項１に記載のブラケット。
【請求項３】
前記保持要素は、前記スロットと並行して、所定の離間距離を有して２つの突起によって形成され、前記２つの突起の間に隙間が形成されることを特徴とする請求項２に記載のブラケット。
【請求項４】
前記掛け金舌片の自由端が、湾曲した凹所を備えることを特徴とする請求項２又は請求項３に記載のブラケット。
【請求項５】
前記各結紮舌片はその自由端に横方向の切り欠きを有し、これら２つの切り欠きは互いに対称であり、
前記第二結合ウィングにおける前記スロットの前記上端部が、前記結紮舌片に対する接触境界面を形成し、該接触境界面上に、上方へ突出する突起が形成され、前記閉鎖バネが閉口状態にあるとき、前記突起は前記切り欠きに係合し、前記閉鎖バネを中心出しすることを特徴とする請求項２又は請求項３に記載のブラケット。
【請求項６】
前記結紮舌片は、前記上部構造体において、前記スロットに対して横方向に形成される隙間を通って延在し、刻み目が第二結合ウィングに形成され、前記閉鎖バネが閉口状態のとき、前記閉鎖バネにおける前記掛け金舌片の自由端が、前記刻み目に位置することを特徴とする請求項１に記載のブラケット。
【請求項７】
前記第一結合ウィングが、前記スロットに対して横方向に延在する切欠きによって２つの結合ウィング半分体に分割され、
第一及び第二の穴が、前記各結合ウィングの半分体を通って、前記スロットと平行に延在し、
前記第一及び第二の穴は同軸であり、
前記結合ウィングの半分体の１つにおいて、基本的に半径方向のフィードスロットが前記基板の上面に面しており、
前記閉鎖バネはその円弧に沿って幅減少の部位を有し、その端部から反対方向に延在する２つのタブを有し、これらタブの一方は前記第一の穴に保持され、前記タブの他方は、前記第二の穴に保持されることを特徴とする請求項１に記載のブラケット。
【請求項８】
ベアリングブッシュは、前記フィードスロットを備える前記第二の穴に押圧され、前記ベアリングブッシュは、前記第二の穴中に存在する前記閉鎖バネの前記タブを囲むことを特徴とする請求項７に記載のブラケット。
【請求項９】
前記閉鎖バネは前記第一端部に隣接する円弧を備え、該円弧はその固有のプレテンションによって、前記プレテンションが、前記閉鎖バネが開口状態にあるときに、前記第一結合ウィングに対して前記閉鎖バネを摩擦的に堅固に固定するように、前記第一結合ウィングに対して弾力的に押圧されることを特徴とする請求項１に記載のブラケット。
【発明の詳細な説明】
【技術分野】
【０００１】
本発明は、請求項１の前文による自己結紮型歯列矯正ブラケットに関する。このタイプのブラケットは、特許文献１によって既知とされる。
【背景技術】
【０００２】
歯列矯正ブラケットは、基本的に基板及び上部構造体から成り、上部構造体は基板から上方に延在し、上部構造体にはアーチワイヤーを受けるためのスロットが形成される。ブラケットは、矯正される歯列に、それら基板によって固定され、アーチワイヤーは、歯列に装着される全ブラケットのスロットを通して挿入され、結紮によりその位置に固定される。ブラケットは上部構造体に固定され、スロット内に位置するアーチワイヤーを横断して延在する。従来は、上部構造体に形成される結合ウィングを取り囲む、弾性部材リングのみが結紮糸として使われていたが、いわゆる”自己結紮型”ブラケットは長年にわたって使われており、弾性部材リングは、ブラケットの上部構造体に固定される閉鎖機構、好ましくはバネ部品、に置き換えられる。したがって、歯列矯正治療期間に数回に亘りなされなくてはならないアーチワイヤーの交換は、多大な時間を必要としなくなる。
【０００３】
自己結紮型ブラケットの閉鎖バネは、意図せずに開口しないために、閉口状態に固定されなくてはならない。特許文献１によるブラケットは、バネ鋼板から成る閉鎖バネを備え、上部ブラケット構造体に恒久的に装着される。上述の目的を果たすため、この閉鎖バネは掛け金舌片を備え、該掛け金舌片は、前記閉鎖バネにおける２つの平行な結紮舌片の間で打ち抜かれ、該結紮舌片は、ワイヤーを受けるスロットを横断して延在する。掛け金舌片はそれら舌片に対して、基本的に直角に曲げられる。掛け金舌片はその自由端で再び曲げられ、よって閉鎖バネが固定位置、すなわち、結紮舌片がスロットを横断して延在し、そこにワイヤーが存在するという位置にあるとき、上部ブラケット構造体に形成される保持突起の下部で係合することができる。
【０００４】
自己結紮型歯列矯正ブラケットは、特許文献２によって既知とされ、特許文献２の閉鎖バネは、スロットを横断して延伸する結紮アーム及び、基本的に結紮アームと平行で、その上部を延伸する固定アームから成る。２つのアームは連結部位によって互いに連結され、円周内部に曲げられ、ヒンジを形成する上部ブラケット構造体に形成されるピンと協働し、閉鎖バネが、スロットへ自由に接近可能な開口状態と閉口状態との間で旋回できるようにする。製造の間、ブラケットの上部構造体は、基本的に互いに鏡像の２つの半分体から組立てられ、半分体が共に合わせられるとき、閉鎖バネはその間に挿入される。上部ブラケット構造体の半分体は、次いでレーザー機器によって共に溶接される。それゆえ、もし損傷を受けた場合でも、閉鎖バネを交換することは不可能である。
【０００５】
特許文献３は、可動式だが固定された閉鎖バネを開示しており、閉鎖バネは分岐点を有さずに形成され、開口状態または閉口状態において、その固有の弾力によってのみ、不動的にそして変形不可能に保持される。すなわち、閉鎖バネがアーチワイヤー上で発揮する力は、閉鎖バネ用に選択される材料の種類によってのみ決定され、したがって、調整することはできない。また、特許文献３は第二ブラケット結合ウィングにおける突起を開示しており、閉口状態において、閉鎖バネの末端部は前記突起の下部に位置し、バネが意図せずに開口されることはできない。突起は、閉口状態において、任意のプレテンションを生成することができない。
【先行技術文献】
【特許文献】
【０００６】
【特許文献１】米国特許第６９４２４８３号明細書
【特許文献２】米国特許第５６８５７１１号明細書
【特許文献３】米国特許第５５６２４４４号明細書
【発明の概要】
【発明が解決しようとする課題】
【０００７】
それゆえ本発明の目的は、上述されるタイプのブラケットと、交換可能であり、単純な型押し及び曲げ工程によって製造されることができ、単純な道具によって開口状態と閉口状態との間を容易に旋回できる閉鎖バネとを提供することである。
【課題を解決するための手段】
【０００８】
この目的は、請求項１に記載される発明によって達成される。本発明の有利な実施形態は、従属請求項の対象である。
【０００９】
本発明の第一実施形態において、ブラケットの上部構造体における閉口状態で、バネ鋼版から成る閉鎖バネを支える、掛け金舌片は、特許文献１で開示される掛け金舌片に相当しており、結紮舌片の間で打ち抜かれている。しかし、直近で上述される舌片とは対照的に、掛け金舌片は比較的短く、結紮舌片を形成する平面の外で曲げられることはなく、それどころか、それら舌片と基本的に同一の平面内におけるその自由端までそれらの間に延在する。バネの閉口状態において、掛け金舌片の自由端領域は、上部構造体に形成される突起の下部にて嵌合し、掛け金舌片とこの突起との間での協働が、閉鎖バネが意図せずに開口するのを防ぐ。閉鎖バネの開口が望まれる場合には、掛け金舌片を掛け金突起から開放する針のような道具を単に使用することで十分である。掛け金舌片が、ワイヤーを受けるスロットが延伸する方向に、横断的に延在する隙間によって中央で分割されることは、特に効果的であり、掛け金舌片の自由端は上述される道具にアクセスすることができ、その結果として、掛け金舌片をスロットに対して横断的に押し出すことができ、したがって、その固定係合から分離することができる。
【００１０】
閉鎖バネが、舌片とその他端、すなわち、バネが上部構造体に固定される端部との間で描く円弧は、掛け金舌片が、掛け金突起との係合から弾力的に押しはずすことを可能にする。
【００１１】
本発明の第二実施形態において、１つの結紮舌片のみが２つの掛け金舌片の間に配置され、閉鎖バネが閉口状態にあるとき、アーチワイヤーを受けるスロットを横断して延在する。上記掛け金舌片の自由端は刻み目に係合し、該刻み目は上部構造体上に形成される。
【００１２】
両方の実施形態において、閉鎖バネが閉口状態にあるとき、結紮舌片は、アーチワイヤースロットに向かう方向（たぶん異なる角度へ）にプレテンションを掛けられており、力はスロット内に存在するアーチワイヤーに発揮されることができ、すなわち力は、いわゆる”アクティブ”ブラケットと呼ばれるブラケットとして使うことができ、閉鎖バネは、そのスロット中にアーチワイヤーを固定するだけではなく、そこで積極的にトルクを生成する事ができる。
【００１３】
バネは、特許文献３又は特許文献１で開示される方法と同様の方法で、上部構造体に固定することができる。本発明は、閉鎖バネの固定端部がヒンジ部分を形成する装着方法との組み合わせにおける特に有利な方法で実現することができ、なぜなら、結果として、舌片と固定点との間の円弧が比較的短くなり、つまり、バネを閉口状態に保つ弾力的な復元力が、特に強くなるからである。本発明によると、ワイヤースロットに平行して延在する第一及び第二の穴は、閉鎖バネの円弧が周囲を取り囲むブラケット結合ウィングで形成される。結合ウィングは、ワイヤーを受けるスロットを横断するように延在する隙間と、結合ウィングを所定の距離で２分割し、閉鎖バネの減少した幅を有する円弧状の部位が延在する隙間とを備え、この部位は、タブを有するその自由端の両側に設けられ、ブラケット結合ウィングにおける第一又は第二の穴の内に挿入することができる。
【００１４】
上部構造体が、バネの搭載を可能にする２つの離間した部位として生成されなくてはならないということを避けるため、特許文献２によるブラケットの事例で述べられているように、２分割されるウィングの第二の穴は、半径方向に方向付けられたフィードスロットを有する。バネの組立状態において、このフィードスロットは、ベアリングブッシュによって当を得て閉鎖され、第二の穴の内部に導入され、そこに存在する閉鎖バネのタブを囲む。
【００１５】
閉鎖バネを支持するこの方法は、閉鎖バネが閉口状態に固定される方法とは無関係であるが、本発明のブラケットの事例において、特に有利な効果に適用することができる。
【００１６】
本発明は、図に示される代表的な実施形態を参照しつつ、下記にてより詳細に説明される。
【図面の簡単な説明】
【００１７】
【図１】その中に挿入されるアーチワイヤーを備える、本発明のブラケットの第一実施形態を斜視図で示す。
【図２】閉鎖バネを備えない、図１に記載されるブラケットを斜視図で示す。
【図３】図１に記載されるブラケットの閉鎖バネを斜視図で示す。
【図４】アーチワイヤーを備えず、離れて図示されるベアリングブッシュを備えるバネの閉口状態における、図１に記載されるブラケットの側面図を示す。
【図５ａ】異なる状態における閉鎖バネを備える、図１に記載されるブラケットの側面図を示す。
【図５ｂ】異なる状態における閉鎖バネを備える、図１に記載されるブラケットの側面図を示す。
【図５ｃ】異なる状態における閉鎖バネを備える、図１に記載されるブラケットの側面図を示す。
【図６ａ】異なる歯列で用いる、本発明の第一実施形態によるブラケットの平面図を示す。
【図６ｂ】異なる歯列で用いる、本発明の第一実施形態によるブラケットの平面図を示す。
【図７ａ】図６ａ及び図６ｂに記載されるブラケットに属する、閉鎖バネの展開図を示す。
【図７ｂ】図６ａ及び図６ｂに記載されるブラケットに属する、閉鎖バネの展開図を示す。
【図８ａ】異なる状態における閉鎖バネを備える、図５ａ-５ｃと類似した創造的なブラケットの第二実施形態を側面図で示す。
【図８ｂ】異なる状態における閉鎖バネを備える、図５ａ-５ｃと類似した創造的なブラケットの第二実施形態を側面図で示す。
【図８ｃ】異なる状態における閉鎖バネを備える、図５ａ-５ｃと類似した創造的なブラケットの第二実施形態を側面図で示す。
【図９】図８ａ-８ｃに記載されるブラケットに属する、閉鎖バネの展開状態を示す。
【発明を実施するための形態】
【００１８】
図１は、保持されるアーチワイヤーを備える閉鎖バネの閉口状態における、本発明による自己結紮型歯列矯正ブラケットの完全なる第一実施形態を示す。
【００１９】
図１によるブラケットは、歯に取り付けるための底面２及び上面３を備える、基板１を含む。符号４によって全体的に示される上部構造体は、上面から更に上方へ延在する。上部構造体は、第一結合ウィング４ａ及び第二結合ウィング４ｂを備える。２つの結合ウィング４ａ及び４ｂ間にはスロット５が延在し、スロット５中にはブラケットの構成要素ではないアーチワイヤー６が保持される。結合ウィング４ａ及び４ｂは、スロット５の長手方向の寸法に対して横方向に延在する隙間と、各ウィングを所定の間隔で二等分する隙間とを含む。
【００２０】
符号７によって全体的に示され、好ましくは上等なバネ鋼版から成る、閉鎖バネもまたブラケットに属する。閉鎖バネ７は第一端部を有し、該第一端部は、さらに下述される方法で、上部ブラケット構造体４の第一結合ウィング４ａに固定される。また、閉鎖バネ７は第二端部も有し、この第二端部は３枚の舌片、すなわち、スロット５とその中に配置されるアーチワイヤー６とを横断して延在する２枚の平行な結紮舌片８及び、２枚の結紮舌片８の間で延在し、バネ鋼版における２ヶ所の切欠き１０によって境界を定められる掛け金舌片９によって形成される。掛け金舌片９はとても短いので、スロット５を横断して延在しない。その自由端、すなわちスロット５近傍の端部において、掛け金舌片９は、楔状の道具をはめ込む基本的に半円状凹所１１を有する。図示される閉鎖バネ７の閉口状態において、凹所１１に近接する掛け金舌片９の自由端は、突起１３に形成される刻み目１２の下に配置される。掛け金舌片９の自由端における凹所１１が、上述される楔状の道具に容易にアクセス可能であるために、この突起もワイヤーを受けるスロット５に対して横方向に延在する隙間を有し、楔状の道具は、掛け金舌片９とアーチワイヤー５との間に導入し、次いでアーチワイヤー５から離れて掛け金舌片９を押すのに使うことができる。
【００２１】
閉鎖バネが閉口状態にあるとき、２枚の結紮舌片８は側面接触によって突起１３に関して中心出しされる。
【００２２】
更なる詳細は、図２を基に説明される。突起１３上の刻み目１２が、上部ブラケット構造体４の第一結合ウィング４ａの側面にある、ワイヤーを受けるスロット５の上端部１４が配置される高さとおよそ同じ高さに配置されるということがわかる。
【００２３】
また、隙間によって分割される第一結合ウィング４ａにおいて、スロット５の縦方向と平行に延在する第一及び第二の穴１５が形成されるということがわかる。２等分された第一結合ウィング４ａの一方において、第二の穴１５は、基板１の上面３に面する半径方向のフィードスロット１６を含む。このフィードスロットは、さらに下述される方法で、閉鎖バネが、完成した上部ブラケット構造体４に搭載されることを可能にする。
【００２４】
図２に示されるように、スロット５は第二結合ウィング４ｂの側面に上端部１７を有し、該上端部１７から続いて、結紮舌片８のための接触面１８が延在している。接触面１８からは、突起１９が、第二結合ウィング４ｂの各半分体から上方へ延在し、該接触面は隙間により遮断される。突起１９は互いに対称である。重ねて後述されるように、それらは閉鎖バネ７の中心出しを助ける。
【００２５】
図３に示すように、閉鎖バネ７は、各結紮舌片８の自由端に切り欠き２０を有する。図１に示すように、切り欠き２０は接触面１８上で突起１９と協働し、閉鎖バネ７をセンタリングさせ、結紮舌片８の自由端が閉口状態に到達し、最終的に第二結合ウィング４ｂの接触面１８上に静止する際に横方向へ滑落するのを防ぐ。
【００２６】
図３において、”くびれた”、すなわち幅が減少された円弧２１は、結紮舌片８とその間に位置する閉鎖バネ７の掛け金舌片９とが、互いに融合する根元領域に隣接しているということがわかる。これは、図７ａ及び図７ｂに特に明白に示すことが出来る。タブ２２は、幅が減少された円弧２１の各側端部に隣接しており、図３にはその片側のみを見る事が出来る。減少した幅領域の幅は、閉鎖バネの円弧状部位２１が、隙間により形成される第一結合ウィング４ａの２つの半分体の間に嵌合し得るように計算される。
【００２７】
図４は、ほぼ完成された状態における、図１に記載されるブラケットの側面図である。示されるように、タブ２２は、所定量の遊びを有する、第一結合ウィング４ａの第二の穴１５に保持される。閉鎖バネが開閉する際に、タブ２２がフィードスロット１６の端部に引っ掛かるのを防ぐため、ベアリングブッシュ２３が設けられ、閉鎖バネがブラケットに取り付けられた後に、フィードスロット１６を覆うように第二の穴１５内に押し込まれ、好ましくは圧入される。最終的な組立状態は、図１において容易に認識される。第二の穴１５が第一結合ウィング４ａの両半分体と同等の直径を有し得るように、ベアリングブッシュ２３によって保持されるタブ２２は、閉鎖バネ７の傾斜した座面を避けるために必要な量だけ、その他のタブよりも細く作成される。
【００２８】
図５ａは、閉鎖バネ７の完全なる開口状態における、ブラケットの側面図である。閉鎖バネ７が、タブ２２の支援によって、第二の穴１５によって形成されたヒンジ周囲を開口した先端位置まで旋回する、ということが示されている。結紮舌片８及び掛け金舌片９は緩められ、互いに平行に延在する。すなわち、それらは互いに同一平面上において位置合わせされる。図５ｂにおいて、閉鎖バネ７は、結紮舌片８がスロット５を横断して延在し、そこにアーチワイヤーが存在する位置まで旋回されている。掛け金舌片９の自由端は、突起１３上に形成された傾斜接触面２４で静止する。
【００２９】
結紮舌片９上に上方からさらに押圧することによって、そして、できる限り図５ｂの視点において右方向にバネを押圧することによって、結紮舌片９の自由端は、傾斜接触面２４上を下方へ、突起１３上に形成される刻み目１２の下部へ滑り込むまで移動する。この位置は、図５ｃに示されている。この位置において、閉鎖バネ７は、その閉口状態に固定される。アーチワイヤー６を所定の位置に保持するのに十分な力が生成され得るように、刻み目１２は、第一結合ウィング４ａの側面におけるスロット５の上端部１８の高さとほぼ同じ高さに位置付けられるが、それは、結紮舌片８により描かれる平面に対して、緩和状態で掛け金舌片９が湾曲するかどうか、そしてどの程度まで湾曲するかに依存して、多少は高低に変動し得る。掛け金舌片９を掛け金位置に運ぶために、それは押下されなくてはならず、その結果として、その掛け金位置、つまり、閉鎖バネが閉口状態にある位置において、閉鎖バネにおける弾性張力、つまり、結紮舌片をアーチワイヤー上に向かって下方へ押圧する張力を生成する。結紮舌片８の自由端が、図５ｃに示すように第一結合ウィングにおける接触面１８上に静止しているので、舌片はアーチワイヤー６の方へ湾曲する。この位置から閉鎖バネ７を解放するためには、掛け金舌片９を、刻み目１２から抜けるまで右方向に単純に押すことで十分であり、それは右方向へ抜け得る円弧２１の弾力性によって可能とされる。
【００３０】
図６ａ及び図６ｂは、異なる歯列で用いる、第一実施形態による２つの本発明のブラケットの平面図を示す。図６ａの実施形態は、上部ブラケット構造体及びそれに相応する閉鎖バネが、平行四辺形を形成するという点で、図６ｂの実施形態と異なり、図６ｂによる実施形態においては、大部分に長方形が存在する。したがってこれらの図は、本発明が、ブラケットが利用される、矯正される歯列の場所に関わらず、全てのブラケット構成に適用され得ることを示している。
【００３１】
図７ａ及び図７ｂは、図６ａ及び図６ｂに記載されるブラケットに属する閉鎖バネ７の展開図を示す。ここでは明瞭に、円弧を形成するように意図された幅減少部位２１と、円弧の端部に形成され、ピボット軸受けを形成するように意図された横方向突起タブ２２と、結紮舌片８の自由端におけるセンタリング部位２０とを、見ることができる。その他詳細は既に十分に上述されており、よってここでそれらを再び説明する必要はない。
【００３２】
図８ａ−８ｃ及び図９は本発明の第二実施形態を示しており、１つの結紮舌片８が２つの掛け金舌片９の間で閉鎖バネ７に形成され、それら舌片は切欠き１０によって互いから離間されている。刻み目１２を有する装置は、上部ブラケット構造体４の第二結合ウィング４ｂに設けられており、該装置は、閉鎖バネ７の閉口状態における掛け金舌片９の自由端２５を保持する。これら装置は突起１３によって形成されており、該突起は、第二結合ウィング４ｂに形成され、アーチワイヤー６を受ける上部ブラケット構造体４を備える、スロット５の逆側に位置する。ここで示される事例において、結紮舌片８は掛け金舌片９よりも短く、その為結紮舌片８は、閉鎖バネ７が閉口している場合に、スロット５に嵌合し得る。結紮舌片がこの位置をとることができるため、上部ブラケット構造体４の少なくとも第一結合ウィング４ａは、スロット５の縦方向に横断して延在する隙間を備えなければならない。この隙間が第二結合ウィング４ｂ内にも延在する場合には、結紮舌片８は短くされる必要は無い。
【００３３】
それゆえ、このタイプのブラケットは、既に上述されているように、アクティブブラケットとして利用され得る。
【００３４】
図８ａ−８ｃは、閉鎖バネ７を有する本発明の第二実施形態を様々な状態で示す。図８ａは完全なる開口状態を示しており、この状態では、スロット５はアーチワイヤー６の挿入、又は取り出しのために完全に開口されている。第一バネ端部２２に近接する閉鎖バネ７の円弧２１は、プレテンションを掛けられており、円弧を内側に向けて曲げようとする。このプレテンションは、閉鎖バネ７を第一結合ウィング４ａに、摩擦的に固定することができ、そのため閉鎖バネ７はこれ以上の方法を必要とせず、図８ａに示されるように開口状態に保持される。
【００３５】
また、閉鎖バネ７の閉鎖途中の移行状態を示す図８ａ及び図８ｂは、閉鎖バネがその製造途中におけるように、閉鎖バネ７の舌片８及び９を静止させた状態で曲げられ、結紮舌片９が、掛け金舌片８がスロット５方向へ突出するよりもさらに突出する、ということを明らかにする。これは、閉鎖バネ７が図８ｃに示される完全なる閉口状態にある場合に、結紮舌片９がスロット５に位置するアーチワイヤー６上でプレテンションを有して静止し、従ってそれを下方へ、スロットの基部上へ押圧する、という結果を有する。掛け金舌片８の自由端２５は、第二結合ウィング４ｂ上の突起１３における刻み目１２下部に位置し、その上に支えられ、従って、結紮舌片９からの復元しようとする反作用力に対抗して、閉鎖バネ７をこの位置に維持する。
【００３６】
第二結合ウィング４ｂが隙間により分割される場合には、隙間の側面に配置される第二結合ウィング４ｂの２つの部位が、各々突起１３及び刻み目１２を備える、ということに注意すべきである。
【００３７】
図９は、図８−８ｃによる実施形態における閉鎖バネ７の、上方から見た展開図を示す。掛け金舌片９と結紮舌片８との長さが異なることを確認することができる。また、穴１１ａも結紮舌片８の根元領域に確認され得る。これは、針状の道具（図示されず）を受け入れる役目を果たし、歯科矯正医はこれを、閉鎖バネ７を開閉したいときに使う。
【００３８】
本実施形態におけるその他の特徴は、既に図１−７ｂによる事例に基づいて説明されている特徴と同じであり、ここで再び、これらの特徴を説明する必要は無い。
【００３９】
本発明の第二実施形態もまた、掛け金舌片が１つだけ設けられ、２つの結紮舌片により横方向に構成されるように変形できることに注意されるべきである。この場合、例えばアーチワイヤーが、溝の底におけるその全体の長さ以上の平面に静止していなく、矯正される歯の位置異常に対応して片側を多少持ち上げられるときに、結紮舌片は、スロットに位置するアーチワイヤーにより、弾力的に、単独に、異なる角度で、押し上げられることができる。上述の図８ａ−９の説明に基づいて、専門家は、上部ブラケット構造体がどのように適合されるべきであるかを理解するだろうから、これは図面で説明される必要はない。
【符号の説明】
【００４０】
１  基板
１０  切欠き
１１  半円状凹所
１１ａ  穴
１２  刻み目
１３  突起
１４  上端部
１５  穴
１６  ラジアルフィードスロット
１７  上端部
１８  接触面
１９  突起
２  底面
２０  切出し
２１  円弧
２２  タブ
２３  ベアリングブッシュ
２４  傾斜接触面
２５  自由端
３  上面
４  上部構造体
４ａ  第一結合ウィング
４ｂ  第二結合ウィング
５  スロット
６  アーチワイヤー
７  閉鎖バネ
８  結紮舌片
９  掛け金舌片
【図１】
0004787313.tif 000002
【図２】
0004787313.tif 000003
【図３】
0004787313.tif 000004
【図４】
0004787313.tif 000005
【図５ａ】
0004787313.tif 000006
【図５ｂ】
0004787313.tif 000007
【図５ｃ】
0004787313.tif 000008
【図６ａ】
0004787313.tif 000009
【図６ｂ】
0004787313.tif 000010
【図７ａ】
0004787313.tif 000011
【図７ｂ】
0004787313.tif 000012
【図８ａ】
0004787313.tif 000013
【図８ｂ】
0004787313.tif 000014
【図８ｃ】
0004787313.tif 000015
【図９】
0004787313.tif 000016